(57)【要約】【課題】ユーザーの利便性を向上させることができる画像形成装置を提供する。【解決手段】画像形成装置１は、パネル保持部１３０と、第１パネル１１０と、第２パネル１２０とを備える。パネル保持部１３０は、画像形成装置１から突出して取付けられる。第１パネル１１０は、パネル保持部１３０の上に配置される。第２パネル１２０は、パネル保持部１３０の上に配置される。第１パネルは、複数の辺を有する。第２パネルは、複数の辺を有する。パネル保持部１３０は、第１回動軸Ｘと第２回動軸Ｘとを備える。第１回動軸Ｘは、複数の辺の内いずれか１辺を中心に第１パネル１１０を回動させる。第２回動軸Ｘは、複数の辺の内いずれか１辺を中心に第２パネル１２０を回動させる。【選択図】図１
2019202494.tif 000002
【特許請求の範囲】
【請求項１】
画像形成装置から突出して取付けられるパネル保持部と、
前記パネル保持部の上に配置される第１パネルと、
前記パネル保持部の上に配置される第２パネルと
を備え、
前記第１パネルは、複数の辺を有し、
前記第２パネルは、複数の辺を有し、
前記パネル保持部は、第１回動軸と第２回動軸とを備え、
前記第１回動軸は、前記複数の辺の内いずれか１辺を中心に前記第１パネルを回動させ、
前記第２回動軸は、前記複数の辺の内いずれか１辺を中心に前記第２パネルを回動させる、画像形成装置。
【請求項２】
前記パネル保持部は、前記第１パネルと前記第２パネルとが前後方向に並ぶように保持する、請求項１に記載の画像形成装置。
【請求項３】
前記パネル保持部は、前記第１パネルと前記第２パネルとが左右方向に並ぶように保持する、請求項１に記載の画像形成装置。
【請求項４】
前記パネル保持部は、前記第１回動軸と前記第２回動軸とが直交する方向に並ぶように保持する、請求項１から請求項３のいずれか１項に記載の画像形成装置。
【請求項５】
前記パネル保持部は、回動した前記第１パネルと回動した前記第２パネルとを固定するロック部とをさらに備える、請求項１から請求項４のいずれか１項に記載の画像形成装置。
【請求項６】
前記第１パネルは、前記画像形成装置の表示部であり、
前記第２パネルは、前記画像形成装置の操作部である、請求項１から請求項５のいずれか１項に記載の画像形成装置。
【請求項７】
前記第１パネルは、前記画像形成装置の操作部であり、
前記第２パネルは、前記画像形成装置の表示部である、請求項１から請求項５のいずれか１項に記載の画像形成装置。
【発明の詳細な説明】
【技術分野】
【０００１】
本発明は、画像形成装置に関する。
【背景技術】
【０００２】
従来、操作部が複数の可動操作パネルからなる画像形成装置が知られている。このような画像形成装置として、特許文献１に記載の画像形成装置は、可動操作パネルの各々が独立して傾斜角度を変更することができる。
【先行技術文献】
【特許文献】
【０００３】
【特許文献１】特開２００７−１１２２３号公報
【発明の概要】
【発明が解決しようとする課題】
【０００４】
しかしながら、特許文献１に記載の画像形成装置では、操作部の操作ボタンが押下された際に、可動操作パネルが下方に可動することがある。可動操作パネルが下方に可動することで操作ボタンを押下することが困難となる。このため、特許文献１に記載の画像形成装置では、可動操作パネルの可動を規制できず、ユーザーの利便性が充分でない。
【０００５】
本発明は上記課題に鑑みてなされたものであり、ユーザーの利便性を向上できる画像形成装置を提供することを目的とする。
【課題を解決するための手段】
【０００６】
本発明に係る画像形成装置は、パネル保持部と、第１パネルと、第２パネルとを備える。前記パネル保持部は、画像形成装置から突出して取付けられる。前記第１パネルは、前記パネル保持部の上に配置される。前記第２パネルは、前記パネル保持部の上に配置される。前記第１パネルは、複数の辺を有する。前記第２パネルは、複数の辺を有する。前記パネル保持部は、第１回動軸と第２回動軸とを備える。前記第１回動軸は、前記複数の辺の内いずれか１辺を中心に前記第１パネルを回動させる。前記第２回動軸は、前記複数の辺の内いずれか１辺を中心に前記第２パネルを回動させる。
【発明の効果】
【０００７】
本発明の画像形成装置によればユーザーの利便性を向上させることができる。
【図面の簡単な説明】
【０００８】
【図１】本発明の実施形態１に係る操作装置を備える画像形成装置を示す図である。
【図２】画像形成装置を左側から見た模式的断面を示す図である。
【図３】操作装置を示す図である。
【図４】パネル保持部を示す模式図である。
【図５】パネル固定部を示す図である。
【図６】パネル固定部と第１壁を示す図である。
【図７】本発明の実施形態２に係る操作装置を示す図である。
【図８】本発明の実施形態３に係る操作装置を示す図である。
【図９】本発明の実施形態４に係る操作装置を示す図である。
【発明を実施するための形態】
【０００９】
以下、本発明の実施形態について、図面を参照しながら説明する。なお、図中、同一又は相当部分については同一の参照符号を付して説明を繰り返さない。
【００１０】
（実施形態１）
図１と図２とを参照して、本発明の実施形態１に係る画像形成装置１を説明する。図１は、画像形成装置１を示す図である。図２は、画像形成装置１を左側から見た模式的断面図である。図１と図２とに示すように、画像形成装置１は、電子写真方式の画像形成装置である。画像形成装置１は、例えば、複合機である。
【００１１】
画像形成装置１は、プリンター２と、読取装置３と、操作装置１００とを備える。
【００１２】
プリンター２は、用紙Ｐに画像を形成する。プリンター２は、画像形成装置１の下部に配置される。プリンター２は、略直方体の形状である。用紙Ｐは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。プリンター２は、収納部２１と、画像形成部２２と、排出部２３と、搬送路Ｔとを含む。
【００１３】
収納部２１は、カセットを収容する。カセットは、画像形成装置１の下部に配置される。カセットには、複数の用紙Ｐが積載可能である。カセットに用紙Ｐを積載する場合、カセットを収納部２１から引き出す。引き出されたカセットに複数の用紙Ｐを積載する。そしてカセットを収納部２１に押し込む。この結果、複数の用紙Ｐが載置されたカセットが収納部２１から引き出される前の位置に戻る。
【００１４】
画像形成部２２は、用紙Ｐにトナー画像を形成する。画像形成部２２は、搬送路Ｔにおいて、収納部２１よりも下流側に配置される。詳しくは、画像形成部２２は、現像部２２１と、転写部２２２と、定着部２２３とを有する。現像部２２１は、感光体ドラムを備える。感光体ドラムには、画像データに基づいて、レーザーが照射される。この結果、感光体ドラムには、静電潜像が形成される。現像部２２１は、感光体ドラムにトナーを供給する。この結果、感光体ドラムには、静電潜像が現像されたトナー画像が形成される。転写部２２２は、感光体ドラムに形成されたトナー画像を用紙Ｐに転写する。定着部２２３は、トナー画像が転写された用紙Ｐを加熱、及び加圧して、用紙Ｐにトナー画像を定着させる。定着部２２３は、転写部２２２よりも下流側に配置される。トナー画像が定着された用紙Ｐは、排出部２３に排出される。
【００１５】
排出部２３は、トナー画像が定着された用紙Ｐを排出する。排出部２３は、排出口と排出トレーを備える。排出口は、搬送路Ｔによって運ばれた用紙Ｐをプリンター２の外部へ排出する。排出トレーは、排出口から排出された用紙Ｐが載置される。また排出トレーと読取装置３との間には空間がある。排出トレーと読取装置３との間の空間は、用紙Ｐが排出される方向に設けられる。
【００１６】
搬送路Ｔは、用紙Ｐを搬送する。搬送路Ｔは、複数のローラー対を有する。搬送路Ｔは、収納部２１から搬送された用紙Ｐを排出部２３まで搬送する。
【００１７】
読取装置３は、原稿の画像を読み取って読取画像データを出力する。読取装置３は、原稿台、及び読取機構を備える。読取機構は、原稿台に載置された原稿の画像を読み取って読取画像データを出力する。あるいは、読取機構は、読取位置を通過する原稿の画像を読み取って読取画像データを出力する。本実施形態において、読取装置３は、スキャナーである。読取装置３は、プリンター２の上方に配置される。
【００１８】
操作装置１００は、ユーザーから画像形成装置１に対する指示を受け付ける。また、操作装置１００は、画像を表示する。操作装置１００は、画像形成装置１から突出する。操作装置１００は、第１パネル１１０と第２パネル１２０とパネル保持部１３０とを備える。
【００１９】
第１パネル１１０は、タッチパネルである。タッチパネルは、画像を表示する。タッチパネルは、例えば、液晶ディスプレー又は有機ＥＬディスプレー（Ｏｒｇａｎｉｃ  Ｅｌｅｃｔｒｏ  Ｌｕｍｉｎｅｓｃｅｎｃｅ  Ｄｉｓｐｌａｙ）を含む。第１パネル１１０は、表示部である。また、タッチパネルは、ユーザーからの指示を受け付ける。タッチパネルは、ユーザーからの指示を示す信号をプリンター２へ送信する。第１パネル１１０は、操作部でもある。また、第１パネル１１０は、矩形状である。第１パネル１１０は、複数の辺を有する。具体的には、第１パネル１１０は、４つの辺を有する。具体的には、第１パネル１１０は、第１辺と、第２辺と、第３辺と、第４辺とを有する。第１辺は、操作装置１００の突出方向に対向する方向にある辺である。第２辺は、操作装置１００の突出方向に直交する方向にある辺である。第３辺は、操作装置１００の突出方向に直交する方向にある辺である。また、第３辺と第２辺とは、対向する。第４辺は、操作装置１００の突出方向と一致する方向にある辺である。第４辺と第１辺とは、対向する。第１パネル１１０は、パネル保持部１３０の上に配置される。
【００２０】
なお、第１パネル１１０は、画像を表示するディスプレーであってもよい。ディスプレーの向きは、第１パネル１１０の前方からユーザーが視認できる位置に配置される。また、第１パネル１１０は、操作ボタンを備える操作部であってもよい。操作ボタンの向きは、第１パネル１１０の前方からユーザーが操作できる位置に配置される。
【００２１】
第２パネル１２０は、タッチパネルである。タッチパネルは、画像を表示する。タッチパネルは、例えば、液晶ディスプレー又は有機ＥＬディスプレー（Ｏｒｇａｎｉｃ  Ｅｌｅｃｔｒｏ  Ｌｕｍｉｎｅｓｃｅｎｃｅ  Ｄｉｓｐｌａｙ）を含む。第２パネル１２０は、表示部である。また、タッチパネルは、ユーザーからの指示を受け付ける。タッチパネルは、ユーザーからの指示を示す信号をプリンター２へ送信する。第２パネル１２０は、操作部でもある。また、第２パネル１２０は、矩形状である。第２パネル１２０は、複数の辺を有する。具体的には、第２パネル１２０は、４つの辺を有する。具体的には、第２パネル１２０は、第１辺と、第２辺と、第３辺と、第４辺とを有する。第１辺は、操作装置１００の突出方向に対向する方向にある辺である。第２辺は、操作装置１００の突出方向に直交する方向にある辺である。第３辺は、操作装置１００の突出方向に直交する方向にある辺である。また、第３辺と第２辺とは、対向する。第４辺は、操作装置１００の突出方向と一致する方向にある辺である。第４辺と第１辺とは、対向する。第２パネル１２０は、パネル保持部１３０の上に配置される。
【００２２】
なお、第２パネル１２０は、画像を表示するディスプレーであってもよい。ディスプレーの向きは、第２パネル１２０の前方からユーザーが視認できる位置に配置される。また、第２パネル１２０は、操作ボタンを備える操作部であってもよい。操作ボタンの向きは、第２パネル１２０の前方からユーザーが操作できる位置に配置される。
【００２３】
パネル保持部１３０は、第１パネル１１０と第２パネル１２０とを保持する。具体的には、パネル保持部１３０は、第１パネル１１０と、第２パネル１２０とを並ぶように保持する。さらに具体的には、パネル保持部１３０は、第１パネル１１０と第２パネル１２０とを前後方向に並ぶように保持する。なお、第１パネル１１０及び第２パネル１２０は、それぞれ、ユーザーが読取装置３の前面側から操作する。また、パネル保持部１３０の前端は、ユーザーと対向する。またパネル保持部１３０の後端は、読取装置３に取付けられる。
【００２４】
パネル保持部１３０は、第１パネル１１０をパネル保持部１３０の後方で保持する。パネル保持部１３０の後方は、画像形成装置１の近傍である。また、パネル保持部１３０は、第２パネル１２０をパネル保持部１３０の前方で保持する。パネル保持部１３０の前方は、画像形成装置１から離れた位置である。例えば、第１パネル１１０を表示部とし、第２パネル１２０を操作部とする場合、表示部をユーザーから遠い位置に配置し、操作部をユーザーの近くに配置することが可能となる。この結果、ユーザーが操作部を操作してもユーザーの手が表示部を覆うことがなく、表示部の表示内容を確認しながら画像形成装置１の操作を行うことが可能となる。このため、ユーザーの利便性が向上する。
【００２５】
また、パネル保持部１３０は、第１パネル１１０と第２パネル１２０とを前後方向に並ぶように保持する。このため、利き手で操作部を操作することが容易となる。例えば、操作部が左にあり、表示部が右にある場合、右手で操作部を操作すると、右手が表示部を覆ってしまう。このため、表示部の表示内容を確認しながら画像形成装置１の操作を行うことができない。この結果、右利きのユーザーは、左手で操作部を操作することとなる。パネル保持部１３０が第１パネル１１０と第２パネル１２０とを前後方向に並ぶように保持することで、ユーザーは利き手での操作が容易となる。この結果、ユーザーの利便性が向上する。
【００２６】
次に図３と図４とを参照して、パネル保持部１３０について詳しく説明する。図３は操作装置１００を示す図である。図４は、パネル保持部１３０を示す模式図である。図４に示すパネル保持部１３０は、第１パネル１１０と第２パネル１２０とが取り外された状態である。パネル保持部１３０は、画像形成装置１に取付けられる。パネル保持部１３０は、筐体を備える。
【００２７】
図４に示すように、筐体は、矩形状である。筐体は、画像形成装置１から突出する。筐体は、第１壁１３１と、第２壁１３２と、第３壁１３３と、第４壁１３４と、第５壁１３５と、第６壁１３６とを備える。
【００２８】
第１壁１３１は、画像形成装置１に当接する。具体的には、第１壁１３１は、読取装置３に当接する。第１壁１３１は、読取装置３に当接した位置で固定される。
【００２９】
第２壁１３２は、画像形成装置１から突出する。第２壁１３２の一方の端部は、読取装置３に当接する。第２壁１３２の一方の端部側には、第１壁１３１が位置する。第２壁１３２は、複数の切り欠きを備える。第２壁１３２は、左側方に位置する。
【００３０】
第３壁１３３は、画像形成装置１から突出する。第３壁１３３の一方の端部は、読取装置３に当接する。第３壁１３３の一方の端部側には、第１壁１３１が位置する。第３壁１３３は、右側方に位置する。
【００３１】
第４壁１３４は、第２壁１３２の他方の端部側に位置する。第４壁１３４は、第３壁１３３の他方の端部側に位置する。第４壁１３４は、画像形成装置１から離間するように配置される。
【００３２】
第５壁１３５は、第１壁１３１と第４壁１３４との間に位置する。第５壁１３５は、第１壁１３１と第４壁１３４と平行に並ぶ。第５壁１３５は、第２壁１３２と第３壁１３３との間に位置する。第５壁１３５は、第２壁１３２と第３壁１３３とに直交する。第５壁１３５は、第１壁１３１と、第２壁１３２と、第３壁１３３と、第４壁１３４とが形成する空間を仕切る。
【００３３】
また、第５壁１３５によって仕切られた空間は、第１空間Ｓ１と、第２空間Ｓ２とである。第１空間Ｓ１は、第１壁１３１と、第２壁１３２と、第３壁１３３と、第５壁１３５とによって形成される。第２空間Ｓ２は、第２壁１３２と、第３壁１３３と、第４壁１３４と、第５壁１３５とによって形成される。
【００３４】
第６壁１３６は、パネル保持部１３０の下方に位置する。第６壁１３６は、パネル保持部１３０の下方を塞ぐ。第６壁１３６は、軸保持部１３７を備える。軸保持部１３７は、回動軸Ｘを保持する。
【００３５】
次に、図３と図４と図５とを参照して、パネル固定部１４０を詳しく説明する。図５は、パネル固定部１４０を示す図である。パネル保持部１３０は、複数のパネル固定部１４０をさらに備える。具体的には、パネル保持部１３０は、２つのパネル固定部１４０を備える。２つのパネル固定部１４０の内、一方のパネル固定部１４０は、第１空間Ｓ１に収容される。２つのパネル固定部１４０の内、他方のパネル固定部１４０は、第２空間Ｓ２に収容される。
【００３６】
パネル固定部１４０は、第１パネル１１０と第２パネル１２０との内いずれか１つを固定する。パネル固定部１４０は、第１フレーム１４１と、第２フレーム１４２と、第３フレーム１４３と、第４フレーム１４４と、回動軸Ｘとを備える。
【００３７】
第１フレーム１４１は、パネルを支持する。第１フレーム１４１は、例えば、第１パネル１１０を支持する。第１フレーム１４１は、第２フレーム１４２と第３フレーム１４３との間に位置する。第１フレーム１４１は、切り欠きを備える。切り欠きは、第６壁１３６側に設けられる。第１フレーム１４１は切り欠きを備えるため、凹状である。第１フレーム１４１は、第４フレーム１４４側に向かって延設した延設部１４１ａを有する。延設部１４１ａは、溝を備える。
【００３８】
第２フレーム１４２は、パネルを支持する。第２フレーム１４２は、例えば、第１パネル１１０を支持する。第２フレーム１４２は、第３フレーム１４３に対向する。第２フレーム１４２は、切り欠き部１４２ａと、複数の載置部１４５を有する。
【００３９】
切り欠き部１４２ａは、第１フレーム１４１側の端部に位置する。切り欠き部１４２ａは、第１パネル１１０の背面側に向かって開口する。
【００４０】
載置部１４５は、第１パネル１１０の背面に当接する。載置部１４５は、第１パネル１１０を支持する。載置部１４５は、第３フレーム１４３に向かって突出する。第２フレーム１４２は、２つの載置部１４５を有する。なお、載置部１４５と第１パネル１１０の背面とが当接した状態で、載置部１４５に第１パネル１１０とが固定される。
【００４１】
第３フレーム１４３は、パネルを支持する。第３フレーム１４３は、例えば、第１パネル１１０を支持する。第３フレーム１４３は、第２フレーム１４２に対向する。第３フレーム１４３は、複数の載置部１４５を有する。
【００４２】
載置部１４５は、第１パネル１１０の背面に当接する。載置部１４５は、第１パネル１１０を支持する。載置部１４５は、第２フレーム１４２に向かって突出する。第３フレーム１４３は、２つの載置部１４５を有する。なお、載置部１４５と第１パネル１１０の背面とが当接した状態で、載置部１４５に第１パネル１１０とが固定される。
【００４３】
第４フレーム１４４は、パネルを支持する。第４フレーム１４４は、例えば、第１パネル１１０を支持する。第４フレーム１４４は、第２フレーム１４２と第３フレーム１４３との間に位置する。
【００４４】
回動軸Ｘは、軸心を中心に回転する。回動軸Ｘは、第２フレーム１４２の第４フレーム１４４側の端部に位置する。また、回動軸Ｘは、第３フレーム１４３の第４フレーム１４４側の端部に位置する。回動軸Ｘは、第２フレーム１４２から第２壁１３２側に向かって突出する。また、回動軸Ｘは、第３フレーム１４３から第３壁１３３側に向かって突出する。回動軸Ｘは、軸保持部１３７に保持される。
【００４５】
また、パネル固定部１４０は、回動軸Ｘを中心に回動する。具体的には、パネル固定部１４０が、回動軸Ｘを中心に、第１方向と第２方向とに回動する。第１方向は、第１フレーム１４１が第６壁１３６に接近する方向である。第２方向は、第１フレーム１４１が第６壁１３６から離間する方向である。この結果、パネル固定部１４０に固定されたパネルは、第１方向と第２方向に回動することが可能となる。パネル固定部１４０に固定されたパネルは、例えば、第１パネル１１０である。
【００４６】
また、パネル固定部１４０の第１方向の回動は、パネル保持部１３０によって規制される。具体的には、パネル固定部１４０が第６壁１３６と当接することで、パネル固定部１４０の第１方向の回動が規制される。このため、パネル固定部１４０に対して第１方向の力が加えられても、パネル固定部１４０が第６壁１３６と当接した位置より下方にパネル固定部１４０が回動することを抑制する。例えば、パネル固定部１４０に固定された第１パネル１１０が下方に回動しても、パネル固定部１４０は第６壁１３６と当接した位置より下方に回動することが抑制される。この結果、第１パネル１１０の確認が困難となる位置に第１パネル１１０が回動することを抑制できる。また、第１パネル１１０の操作が困難となる位置に第１パネル１１０が回動することを抑制できる。確認が困難となる位置とは、例えば、第１パネル１１０が画像形成装置１から垂下するような位置である。また、操作が困難となる位置とは、例えば、第１パネル１１０が画像形成装置１から垂下するような位置である。この結果、第１パネル１１０が押圧されてパネル固定部１４０が回動しても、続けて第１パネル１１０を確認できる。また、第１パネル１１０が押圧されてパネル固定部１４０が回動しても、続けて第１パネル１１０を操作できる。この結果、ユーザーの利便性が向上する。
【００４７】
なお、一方のパネル固定部１４０の回動軸Ｘと、他方のパネル固定部１４０の回動軸Ｘとは、前後方向に並んで配置される。一方のパネル固定部１４０の回動軸Ｘは、「第１回動軸」に相当する。他方のパネル固定部１４０の回動軸Ｘは、「第２回動軸」に相当する。
【００４８】
第１回動軸は、第５壁１３５側に位置する。また、第１回動軸は、第４フレーム１４４側に位置する。このため、一方のパネル固定部１４０は第１壁１３１と対向する第１フレーム１４１側が第１方向と第２方向に回動する。例えば、一方のパネル固定部１４０に第１パネル１１０が固定される場合、第１パネル１１０は、第１パネル１１０の後端が第１フレーム１４１側に位置する。このため、第１パネル１１０の後端である第１辺側が回動する。
【００４９】
第２回動軸は、第４壁１３４側に位置する。また、第２回動軸は、第４フレーム１４４側に位置する。このため、他方のパネル固定部１４０は第５壁１３５と対向する第１フレーム１４１側が第１方向と第２方向に回動する。例えば、他方のパネル固定部１４０に第２パネル１２０が固定される場合、第２パネル１２０は、第２パネル１２０の後端が第１フレーム１４１側に位置する。このため、第２パネル１２０の後端である第１辺側が回動する。
【００５０】
この結果、第１パネル１１０と第２パネル１２０との各々を回動させることが可能となり、ユーザーが望む角度に第１パネル１１０と第２パネル１２０とを回動できる。
【００５１】
次に、図４と図５と図６とを参照してロック部１５０を説明する。図６は、パネル固定部１４０と第１壁１３１を示す図である。パネル保持部１３０は、ロック部１５０をさらに備える。ロック部１５０は、パネル固定部１４０に固定されたパネルを回動させた状態で固定する。ロック部１５０は、例えば、パネル固定部１４０に固定された第１パネル１１０を回動させた状態で固定する。
【００５２】
ロック部１５０は、レバー１５１と、移動部材１５２と、付勢部材１５３と、係合突起１５４と、係合孔１５６とを備える。
【００５３】
レバー１５１は、パネル固定部１４０が回動可能な状態と、パネル固定部１４０が回動できない状態とに切り替える。具体的には、レバー１５１が第３フレーム１４３側へ押圧された場合、パネル固定部１４０は回動可能となる。また、レバー１５１が操作されない場合、パネル固定部１４０は回動が規制される。レバー１５１は、第２フレーム１４２の切り欠き部１４２ａに位置する。レバー１５１は、第２フレーム１４２から第２壁１３２に向かって突出する。
【００５４】
移動部材１５２は、第１フレーム１４１に沿って移動する。具体的には、移動部材１５２は、第１フレーム１４１に沿って、第２フレーム１４２から第３フレーム１４３までの間を移動する。また、移動部材１５２は、レバー１５１と連接される。このため、移動部材１５２は、レバー１５１の移動にあわせて移動する。具体的には、レバー１５１が第３フレーム１４３方向に移動する場合、移動部材１５２は、第３フレーム１４３方向に移動する。また、レバー１５１が第２フレーム１４２方向に移動する場合、移動部材１５２は、第２フレーム１４２方向に移動する。
【００５５】
また、移動部材１５２の第２フレーム１４２側の端部は、第６壁１３６側に向かって延設される。また、移動部材１５２の第３フレーム１４３側の端部は、第６壁１３６側に向かって延設される。この結果、移動部材１５２の中央部分は、凹状となる。また、延設された移動部材１５２の端部１５５の各々は、延設部１４１ａに支持される。具体的には、移動部材１５２の端部１５５が、延設部１４１ａの溝に位置する。この結果、移動部材１５２は、延設部１４１ａに移動可能に支持される。
【００５６】
付勢部材１５３は移動部材１５２を第２フレーム１４２側へ押圧する。付勢部材１５３は、移動部材１５２の第３フレーム１４３側の端部と第３フレーム１４３との間に位置する。また、付勢部材１５３は、コイルバネである。付勢部材１５３は、移動部材１５２と第３フレーム１４３との間に圧縮された状態で取り付けられる。このため、付勢部材１５３は、移動部材１５２を第３フレーム１４３から離間させる方向に押圧する。
【００５７】
係合突起１５４は、第１フレーム１４１と対向する壁に向かって突出する。第１フレーム１４１に対向する壁は、例えば、第１壁１３１である。第１フレーム１４１と第１壁１３１が対向する場合、係合突起１５４は、第１壁１３１に向かって突出する。また、係合突起１５４は、移動部材１５２から第１壁１３１に向かって突出する。このため、係合突起１５４は、移動部材１５２の移動に伴って移動する。
【００５８】
係合孔１５６には、係合突起１５４が挿通される。係合孔１５６は、第１フレーム１４１と対向する壁に形成される。第１フレーム１４１に対向する壁は、例えば、第１壁１３１である。
【００５９】
図６に示すように、第１壁１３１は、係合孔１５６を備える。係合孔１５６は、対の長辺と、対の短辺を有する。係合孔１５６は、一方の長辺から他方の長辺に向かって突出する第１突起１５６ａと第２突起１５６ｂとを有する。第１突起１５６ａと第２突起１５６ｂとは、所定距離離間して配置される。所定距離は、係合突起１５４より長い。第１突起１５６ａと第２突起１５６ｂとによって、係合孔１５６はＥ字状となる。
【００６０】
係合孔１５６は、上下方向の溝と左右方向の溝とを有する。上下方向の溝は、係合突起１５４を左右方向の溝に案内する。左右方向の溝は、係合突起１５４の上下方向の移動を規制する。左右方向の溝は、第１溝１５６ｃと、第２溝１５６ｄと、第３溝１５６ｅとである。第１溝１５６ｃは、第６壁１３６側に位置する。第３溝１５６ｅは、第６壁１３６から最も離れた位置に位置する。第２溝１５６ｄは、第１溝１５６ｃと第３溝１５６ｅとの間に位置する。上下方向の溝は、第４溝１５６ｆである。第４溝１５６ｆは、第１溝１５６ｃと、第２溝１５６ｄと、第３溝１５６ｅとの各々と連接する。
【００６１】
第１溝１５６ｃにある係合突起１５４を、図６で示す第２溝１５６ｄの位置まで移動させる場合、レバー１５１を操作してロックを解除し、係合突起１５４を移動させる。ロックの解除は、レバー１５１を第３フレーム１４３方向に押圧することで解除される。具体的には、レバー１５１が押圧されることで移動部材１５２が第３フレーム１４３に接近する。移動部材１５２の移動に伴って、係合突起１５４も第３フレーム１４３方向に移動する。係合突起１５４が第３フレーム１４３方向に移動することで、係合突起１５４は第１溝１５６ｃから第４溝１５６ｆに移動する。この結果、係合突起１５４が第４溝１５６ｆに沿って上下方向に移動可能となる。そして、第２溝１５６ｄの高さまで係合突起１５４を移動させる。レバー１５１の押圧を解除することで、係合突起１５４が第２溝１５６ｄの位置でロックされる。具体的には、レバー１５１の押圧を解除することで、移動部材１５２が第３フレーム１４３から離間する方向に移動する。移動部材１５２の移動に伴って、係合突起１５４も第２フレーム１４２方向に移動する。係合突起１５４が第２フレーム１４２方向に移動することで、係合突起１５４は第４溝１５６ｆから第２溝１５６ｄに移動する。この結果、係合突起１５４の上下方向の移動が規制される。したがって、パネル固定部１４０に固定された第１パネル１１０を回動させた状態で固定することが可能となる。この結果、ユーザーの好みに合わせて、第１パネル１１０の角度を変更できる。
【００６２】
また、第１パネル１１０と第２パネル１２０とをそれぞれ回動させた状態で固定することも可能である。例えば、第１パネル１１０を回動させて第３溝１５６ｅの位置で固定し、第２パネル１２０を回動させて第２溝１５６ｄの位置で固定できる。この結果、ユーザーの好みに合わせて第１パネル１１０と第２パネル１２０との角度を変更できる。
【００６３】
（実施形態２）
図７を参照して、実施形態２に係る操作装置１００を説明する。図７は、実施形態２に係る操作装置１００を示す図である。実施形態２に係る操作装置１００は、パネル固定部１４０の回動軸Ｘの取付け位置が異なる点を除いて、実施形態１に係る操作装置１００と同様の構成を有するため、重複部分については説明を省略する。
【００６４】
図７に示すように、一方のパネル固定部１４０は、パネル保持部１３０の後方に配置される。他方のパネル固定部１４０は、パネル保持部１３０の前方に配置される。一方のパネル固定部１４０の回動軸Ｘと、他方のパネル固定部１４０の回動軸Ｘとは、前後方向に並んで配置される。一方のパネル固定部１４０の回動軸Ｘと他方のパネル固定部１４０の回動軸Ｘとは、平行に並ぶ。
【００６５】
一方のパネル固定部１４０の回動軸Ｘは、第５壁１３５側に位置する。このため、一方のパネル固定部１４０は第１壁１３１と対向する第１フレーム１４１側が第１方向と第２方向に回動する。一方のパネル固定部１４０に第１パネル１１０が固定される場合、第１パネル１１０の後端が第１フレーム１４１側に位置する。この結果、第１パネル１１０の後端側である第１辺側が回動する。
【００６６】
他方のパネル固定部１４０の回動軸Ｘは、第５壁１３５側に位置する。このため、他方のパネル固定部１４０は第３壁１３３と対向する第１フレーム１４１側が第１方向と第２方向に回動する。他方のパネル固定部１４０に第２パネル１２０が固定される場合、第２パネル１２０の前端が第１フレーム１４１側に位置する。この結果、第２パネル１２０の前端側である第４辺側が回動する。
【００６７】
この結果、第１パネル１１０の傾斜方向と第２パネル１２０の傾斜方向とを異ならせることが可能となる。よって、ユーザーの好みに合わせて第１パネル１１０と第２パネル１２０とを傾斜させることができる。
【００６８】
（実施形態３）
図８を参照して、実施形態３に係る操作装置１００を説明する。図８は、実施形態３に係る操作装置１００を示す図である。実施形態３に係る操作装置１００は、パネル固定部１４０の回動軸Ｘの取付け位置が異なる点を除いて、実施形態１に係る操作装置１００と同様の構成を有するため、重複部分については説明を省略する。
【００６９】
図８に示すように、一方のパネル固定部１４０は、パネル保持部１３０の後方に配置される。他方のパネル固定部１４０は、パネル保持部１３０の前方に配置される。一方のパネル固定部１４０の回動軸Ｘは、他方のパネル固定部１４０の回動軸Ｘに直交する方向に配置される。
【００７０】
一方のパネル固定部１４０の回動軸Ｘは、第３壁１３３側に位置する。このため、一方のパネル固定部１４０は第２壁１３２と対向する第１フレーム１４１側が第１方向と第２方向に回動する。一方のパネル固定部１４０に第１パネル１１０が固定される場合、第１パネル１１０の左端が第１フレーム１４１側に位置する。この結果、第１パネル１１０の左端側である第２辺側が回動する。
【００７１】
他方のパネル固定部１４０の回動軸Ｘは、第４壁１３４側に位置する。このため、他方のパネル固定部１４０は第５壁１３５と対向する第１フレーム１４１側が第１方向と第２方向に回動する。他方のパネル固定部１４０に第２パネル１２０が固定される場合、第２パネル１２０の後端が第１フレーム１４１側に位置する。この結果、第２パネル１２０の後端側である第１辺側が回動する。
【００７２】
この結果、第１パネル１１０の傾斜方向と第２パネル１２０の傾斜方向とを異ならせることが可能となる。例えば、操作装置１００の右側からしか操作装置１００を操作できない場合、第１パネル１１０の第２辺側を回動させることで、ユーザーにとって視認することが容易な位置に第１パネル１１０を回動させることができる。また、ユーザーにとって操作することが容易な位置に第２パネル１２０を回動させることができる。この結果、ユーザーの利便性を向上できる。また、ユーザーの好みに合わせて第１パネル１１０と第２パネル１２０との角度を変更することができる。
【００７３】
（実施形態４）
図９を参照して、実施形態４に係る操作装置１００を説明する。図９は、実施形態４に係る操作装置１００を示す図である。実施形態４に係る操作装置１００のパネル保持部１３０は、パネルを左右方向に並ぶように保持する点と、第５壁１３５の配置が異なる点と、パネル固定部１４０の回動軸Ｘの取付け位置が異なる点を除いて、実施形態１に係る操作装置１００と同様の構成を有するため、重複部分については説明を省略する。
【００７４】
図９に示すように、パネル保持部１３０は、パネルを左右方向に並ぶように保持する。一方のパネル固定部１４０は、パネル保持部１３０の左方向に配置される。他方のパネル固定部１４０は、パネル保持部１３０の右方向に配置される。また、パネル保持部１３０の第５壁１３５は、第２壁１３２と第３壁１３３と平行に並ぶ。また、第５壁１３５は、第１壁１３１と第４壁１３４とに直交する。また、第５壁１３５によって仕切られた空間は、第１空間Ｓ１と、第２空間Ｓ２とである。第１空間Ｓ１は、第１壁１３１と、第２壁１３２と、第４壁１３４と、第５壁１３５とによって形成される。第２空間Ｓ２は、第１壁１３１と、第３壁１３３と、第４壁１３４と、第５壁１３５とによって形成される。
【００７５】
一方のパネル固定部１４０の回動軸Ｘと、他方のパネル固定部１４０の回動軸Ｘとは、左右方向に並んで配置される。一方のパネル固定部１４０の回動軸Ｘと他方のパネル固定部１４０の回動軸Ｘとは、平行に並ぶように取付けられる。
【００７６】
一方のパネル固定部１４０の回動軸Ｘは、第２壁１３２側に位置する。このため、一方のパネル固定部１４０は第５壁１３５と対向する第１フレーム１４１側が第１方向と第２方向に回動する。一方のパネル固定部１４０に第１パネル１１０が固定される場合、第１パネル１１０の右端が第１フレーム１４１側に位置する。この結果、第１パネル１１０の右端側である第３辺側が回動する。
【００７７】
他方のパネル固定部１４０の回動軸Ｘは、第５壁１３５側に位置する。このため、他方のパネル固定部１４０は第３壁１３３と対向する第１フレーム１４１側が第１方向と第２方向に回動する。他方のパネル固定部１４０に第２パネル１２０が固定される場合、第２パネル１２０の右端が第１フレーム１４１側に位置する。この結果、第２パネル１２０の右端側である第３辺側が回動する。
【００７８】
この結果、第１パネル１１０の傾斜方向と第２パネル１２０の傾斜方向とを一致させることが可能となる。例えば、操作装置１００の左側からしか操作装置１００を操作できない場合、第１パネル１１０の第３辺側と第２パネル１２０の第３辺側とを回動させることで、ユーザーにとって視認することが容易な位置に第１パネル１１０と第２パネル１２０とを回動させることができる。また、ユーザーにとって操作することが容易な位置に第１パネル１１０と第２パネル１２０とを回動させることができる。この結果、ユーザーの利便性を向上できる。また、ユーザーの好みに合わせて第１パネル１１０と第２パネル１２０との角度を変更することができる。
【００７９】
以上、図面（図１〜図９）を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【産業上の利用可能性】
【００８０】
本発明は、画像形成装置の分野に利用可能である。
【符号の説明】
【００８１】
１        画像形成装置
１１０    第１パネル
１２０    第２パネル
１３０    パネル保持部
１５０    ロック部
Ｘ        回動軸
【図１】
2019202494.tif 000003
【図２】
2019202494.tif 000004
【図３】
2019202494.tif 000005
【図４】
2019202494.tif 000006
【図５】
2019202494.tif 000007
【図６】
2019202494.tif 000008
【図７】
2019202494.tif 000009
【図８】
2019202494.tif 000010
【図９】
2019202494.tif 000011